(57)【要約】本発明はカットシート（１０）及びそれから製造された包装、特に紙巻きタバコ用包装に関し、その包装はその４つの長手方向稜及び４つの水平方向主稜が二以上の折線を有する折畳み領域によって全て丸められるか又は斜にされている。様々な折畳み領域の接合部において相互に当接する折畳み領域の１つが約４５°〜９０°の円弧セグメントで、残りがＳ字曲線で終わる。【選択図】図１
2004526439.tif 000002
【特許請求の範囲】
【請求項１】
少なくとも５面が閉じた直方体状箱を形成するための折畳み可能な材料からなるカットシートであって、形成されるべき直方体状箱において正反対で向き合う２つの主面区画（２０、４０）とそれらを結合する１つの底区画（３０）がカットシート（１０）に直線的に連続して配置されており、形成されるべき直方体状箱において正反対で向き合う両方の主面区画（２０、４０）とこれらを結合する底区画（３０）とに対接する側面が、両方の主面区画（２０、４０）から横に突出する側面区画（２２、２４、４２、４４）によって形成され、形成されるべき直方体状箱において正反対で向き合う両方の主面区画（２０、４０）の稜が折畳み領域によって形成されるものにおいて、
−  形成されるべき直方体状箱において正反対で向き合う両方の主面区画（２０、４０）の隅で２つの折畳み領域が当接し、
−  ２つの当接する折畳み領域の一方が約４５°〜９０°の円弧セグメントによって限定され、他方がＳ字曲線によって限定され、Ｓ字曲線が主面区画（２０、４０）の隅に向かって円弧セグメントに密着することを特徴とするカットシート（１０）。
【請求項２】
折畳み領域が、各２本以上の隣接する実質的に平行な折線によって形成されることを特徴とする、請求項１記載のカットシート（１０）。
【請求項３】
左および右第１側面区画（２２、２４）を備えた第１主面区画（２０）を有し、
−  第１主面区画（２０）の上稜に底区画（３０）が続き、底区画（３０）の上稜には左および右第２側面区画（４２、４４）を備えた第２主面区画（４０）が続いており、
−  カットシート（１０）が水平折畳み領域と垂直折畳み領域を有し、つまり第１主面区画（２０）と底区画（３０）との間および底区画（３０）と第２主面区画（４０）との間に第１、第２水平折畳み領域（８０、８２）と、左第１側面区画（２２）と第１主面区画（２０）との間、第１主面区画（２０）と右第１側面区画（２４）との間、左第２側面区画（４２）と第２主面区画（４０）との間および第２主面区画（４０）と右第２側面区画（４４）との間に第１〜第４垂直折畳み領域（９０、９１、９２、９３）とを有し、
−  第１水平折畳み領域（８０）が第１主面区画（２０）の上隅（２１、２３）で第１、第２垂直折畳み領域（９０、９１）に当接し、
−  第２水平折畳み領域（８２）が第２主面区画（４０）の下隅（４１、４３）で第３、第４垂直折畳み領域（９２、９３）に当接する、請求項１または２のいずれか１項記載のカットシート（１０）。
【請求項４】
左および右第２側面区画（４２、４４）の下稜に左および右第２側面区画端タブ（４６、４８）が続いていることを特徴とする、請求項３記載のカットシート（１０）。
【請求項５】
左および右第３側面区画（５２、５４）を備えた第３主面区画（５０）が第２主面区画（４０）の上稜に続き、上面区画（６０）が第３主面区画（５０）の上稜に続き、左および右側面区画（７２、７４）を備えた第４主面区画（７０）が上面区画（６０）の上稜に続いており、
−  カットシート（１０）が他の水平折畳み領域と垂直折畳み領域を有し、つまり第３主面区画（５０）と上面区画（６０）との間および上面区画（６０）と第４主面区画（７０）との間に第３、第４水平折畳み領域（８４、８６）と、左第３側面区画（５２）と第３主面区画（５０）との間、第３主面区画（５０）と右第３側面区画（５４）との間、左第４側面区画（７２）と第４主面区画（７０）との間および第４主面区画（７０）と右第４側面区画（７４）との間に第５〜第８垂直折畳み領域（９４、９５、９６、９７）とを有し、
−  第３水平折畳み領域（８４）が第３主面区画（５０）の上隅（５１、５３）で第５、第６垂直折畳み領域（９４、９５）に当接し、
−  第４水平折畳み領域（８６）が第４主面区画（７０）の下隅（７１、７３）で第７、第８垂直折畳み領域（９６、９７）に当接することを特徴とする、請求項３または４記載のカットシート（１０）。
【請求項６】
左および右第３側面区画（５２、５４）の上稜に左および右第３側面区画端タブ（５６、５８）が続き、第４主面区画（７０）の上稜に補強区画（７２）が続いていることを特徴とする、請求項５記載のカットシート（１０）。
【請求項７】
折畳み可能な材料が横目厚紙（ｓｈｏｒｔｇｒａｉｎ  ｃａｒｄｂｏａｒｄ）または横目紙（ｓｈｏｒｔｇｒａｉｎ  ｐａｐｅｒ）であることを特徴とする、請求項１〜６のいずれか１項記載のカットシート（１０）。
【請求項８】
折線が刻み線（１００）であることを特徴とする、請求項７記載のカットシート（１０）。
【請求項９】
垂直折畳み領域の刻み線（１００）が紙または厚紙の１０〜８０％、特に４０〜６０％厚さ減少によって形成され、水平折畳み領域の刻み線（１００）が紙または厚紙の１０〜５０％、特に２０〜４０％厚さ減少によって形成されることを特徴とする、請求項８記載のカットシート（１０）。
【請求項１０】
円弧セグメントの末端とＳ字曲線の末端が直角に分岐しかつ主面区画（２０、４０、５０、７０）の稜と平行であることを特徴とする、請求項１〜９のいずれか１項記載のカットシート（１０）。
【請求項１１】
少なくとも１つの折畳み領域の末端が両方とも円弧セグメントまたはＳ字曲線のいずれかによって限定されていることを特徴とする、請求項１〜１０のいずれか１項記載のカットシート（１０）。
【請求項１２】
すべての折畳み領域がその両方の末端で他の折畳み領域に直角に当接する場合、これら折畳み領域の両方の末端が円弧セグメントまたはＳ字曲線のいずれかによって限定されていることを特徴とする、請求項１〜１１のいずれか１項記載のカットシート（１０）。
【請求項１３】
互いに平行なすべての折畳み領域がそれぞれ円弧セグメントまたはＳ字曲線のいずれかによって限定されていることを特徴とする、請求項１〜１２のいずれか１項記載のカットシート（１０）。
【請求項１４】
請求項１〜１３のいずれか１項記載のカットシート（１０）から製造可能な箱。
【請求項１５】
請求項８または９記載のカットシートから製造可能な箱であって、刻み線（１００）が箱の内面にある箱。
【発明の詳細な説明】
【０００１】
本発明は、カットシートおよびそれから製造された特に紙巻タバコ用包装として利用される箱に関する。
【０００２】
紙巻タバコはふつうソフトパック包装またはハードパック包装のいずれかで、例えばヒンジ蓋付き箱もしくはヒンジリッド箱で市販されるが、ヒンジ蓋のないいわゆるリジッド・ソフト包装でも市販される。ハードパック包装において、隅および稜を丸くして消費者のポケットを保護することも公知である。例えば独国特許出願公開第２９４０７９７号明細書がこの目的のために、すべての隅および稜を丸くした特にヒンジリッド型の紙巻タバコ箱を述べている。しかしこの独国公開明細書は、この箱をどのように製造できるのかを開示していない。
【０００３】
欧州特許出願公開第０７６４５９５号明細書に述べられたヒンジリッド型の紙巻タバコ箱はその４つの水平な主稜が斜にされまたは丸くされている。これらの稜を製造するために相応するカットシートも示されている。この欧州刊行物はさらに米国特許第２５２３２５１号明細書の参照指示（欧州特許出願公開第０７６４５９５号明細書第４欄５１〜５４行）を含んでおり、したがって欧州特許出願公開第０７６４５９５号明細書の丸くされまたは斜にされた水平稜と米国特許第２５２３２５１号明細書の斜にされた長手稜との組合せも含んでいる。しかし、この特殊な実施形態をどのように製造できるのかの指摘はやはり欠落している。
【０００４】
すべての隅と長手稜および水平な主稜が丸くされまたは斜にされた箱、特にヒンジ蓋付き紙巻タバコ箱を単一のカットシートから製造することは実際問題が多い。
【０００５】
そこで本発明の目的は、すべての長手稜と水平な主稜および隅が極力十分に丸くされまたは斜にされた箱、特にヒンジ蓋付き紙巻タバコ箱を製造するための簡単に製造できるカットシートを提供することである。
【０００６】
この目的の解決は、少なくとも５面が閉じた直方体状箱を形成するための折畳み可能な材料からなるカットシートであって、形成されるべき直方体状箱において正反対で向き合う２つの主面区画とそれらを結合する１つの底区画がカットシートに直線的に連続して配置されており、形成されるべき直方体状箱において正反対で向き合う両方の主面区画とこれらを結合する底区画とに対接する側面が、両方の主面区画から横に突出する側面区画によって形成され、形成されるべき直方体状箱において正反対で向き合う両方の主面区画の稜が折畳み領域によって形成されるものにおいて、
−  形成されるべき直方体状箱において正反対で向き合う両方の主面区画の隅（好ましくは下隅）で２つの折畳み領域が当接し、
−  ２つの（好ましくは実質的に直角に）当接する折畳み領域の一方が約４５°〜９０°、好ましくは６５°〜８０°の円弧セグメントによって限定され、他方がＳ字曲線によって限定され、Ｓ字曲線が主面区画の隅に向かって円弧セグメントに密着し、
−  折畳み領域が好ましくは各２本以上の隣接する実質的に平行な折線によって形成されることを特徴とするカットシートにある。
【０００７】
上で定義されたカットシートは好ましくは左および右第１側面区画を備えた第１主面区画を有し、
−  第１主面区画の上稜に底区画が続き、底区画の上稜には左および右第２側面区画を備えた第２主面区画が続いており、
−  カットシートが水平折畳み領域と垂直折畳み領域を有し、つまり第１主面区画と底区画との間および底区画と第２主面区画との間に第１、第２水平折畳み領域と、左第１側面区画と第１主面区画との間、第１主面区画と右第１側面区画との間、左第２側面区画と第２主面区画との間および第２主面区画と右第２側面区画との間に第１〜第４垂直折畳み領域とを有し、
−  第１水平折畳み領域が第１主面区画の上隅で第１、第２垂直折畳み領域に当接し、
−  第２水平折畳み領域が第２主面区画の下隅で第３、第４垂直折畳み領域に当接する。
【０００８】
上記カットシートは既存のカットシート製造機械を適切に変更することによって簡単に製造することができる。ふつうに折畳んで貼り付けることによって、インナライナーに包み込まれた紙巻タバコ群を挿入することのできる１つの箱部のみからなるハードパック包装がこのカットシートから得られる。通常、紙巻タバコ群が箱内にしっかり収まり、箱の上側開口端が多少張り出して箱の開放と紙巻タバコの取り出しを消費者に可能とするように、箱寸法は設計されている。
【０００９】
しかし、箱は概して箱部の他に蓋部も持つことになり、通常のヒンジリッド箱が生じる。
【００１０】
この通常のヒンジリッド箱を得るために、上記カットシートは付加的区画、つまり第２主面区画に続いて、左および右第３側面区画を備えた第３主面区画を有し、第３主面区画の上稜に上面区画が続き、上面区画の上稜には左および右第４側面区画を備えた第４主面区画が続いており、
−  カットシートが他の水平折畳み領域と垂直折畳み領域を有し、つまり第３主面区画と上面区画との間および上面区画と第４主面区画との間に第３、第４水平折畳み領域と、左第３側面区画と第３主面区画との間、第３主面区画と右第３側面区画との間、左第４側面区画と第４主面区画との間および第４主面区画と右第４側面区画との間に第５〜第８垂直折畳み領域とを有し、
−  第３水平折畳み領域が第３主面区画の上隅で第５、第６垂直折畳み領域に当接し、
−  第４水平折畳み領域が第４主面区画の下隅で第７、第８垂直折畳み領域に当接する。
【００１１】
有利には、カットシートは上記区画の他に補足的になお左および右第２側面区画の下稜に左および右第２側面区画端タブを有し、左および右第３側面区画の上稜に左および右第３側面区画端タブを有する。これらの側面区画端タブは完成した箱の底および蓋を補強するのに役立つ。
【００１２】
好ましくは第４主面区画の上稜に補強区画があり、この補強区画は箱の製造時に第４主面区画の内面に接着され、やはり補強に役立つ。
【００１３】
ヒンジリッド箱用の通常の材料、例えば紙または厚紙、場合によっては被覆したもの、そしてプラスチック、プラスチックフィルムまたはプラスチック積層板、好ましくは横目紙または横目厚紙が、折畳み可能な材料として利用できる。
【００１４】
折線は溝または好ましくは刻み線のいずれかとすることができ、好ましくは箱の全長および全幅にわたって延びている。
【００１５】
溝を製造するためにカットシートの当該個所が溝付け体によって押し込まれる。反対側には溝付け通路があり、カットシートの材料はこの溝付け通路に押し込むことができる。溝が平行に延びている場合、上記方法に従って波形横断面が生じる。この方法は例えば米国特許第２５２３２５１号明細書に述べられており、結果がその図２に示してある。次にこのように処理されたカットシートを折畳むと、溝に沿って包装の（溝が幾つかの場合）丸い稜または（溝が２つの場合）斜にされた稜が自動的に形成される。
【００１６】
しかしその際に欠点として、包装材料の固有剛さおよび弾性復原力ゆえに包装を製造するための貼付けが問題を生じる。貼付けは通常カットシートの、箱側壁を形成する重なり領域で行われる。丸くされまたは斜にされた稜によって、これらの重なり領域は通常の例えばヒンジリッド箱に比べてかなり減少しており、限定量の接着剤のみを塗布することができる。それゆえに結果として、比較的微量の接着剤が十分に乾燥するまで比較的長く待たねばならないので機械的生産が遅くなる。というのも、さもないと材料の弾性復原力によって箱が再び開くであろうからである。
【００１７】
これが特別顕著となるのは、例えばヒンジリッド箱の製造に横目厚紙もしくは横目紙が使用される場合である。紙または厚紙で製造するとき、製品を形成する材料は迅速に移動するベルト上に置かれる。そのことから、材料中で長繊維が優先的に縦方向に整列することになる。完成した材料ウェブからカットシートが後に縦方向または横方向のいずれで切断されるのかに応じて、カットシート中で長繊維はカットシート（横目）の縦軸線を横切って配置されまたはカットシート（縦目）の縦軸線に沿って配置される。横目カットシートの縦方向を横切って繊維を整列させると、横軸線の周りでの曲げ性が良好になるが、しかし縦軸線の周りでの曲げ性は劣化する。それゆえに横方向貼付け用の復原力は、材料中で長繊維の位置が入れ替わって事情が正確に逆である縦目カットシートの場合よりも強い。しかし他方でヒンジ蓋付き箱用には横目カットシートが優先的に利用される。というのもそれは蓋の安定性（閉鎖のずれを生じず、蓋の僅かな引き裂きも生じない）、横方向での安定性向上による包装の剛さ、包装の扁平状態、すなわち包装の極力少ない湾曲を、縦目材料を使用する場合に比べて著しく促進するからである。
【００１８】
溝とは異なり刻み線を利用することによって、弾性復原力は意外なことに著しく減少し、横目材料は問題なく迅速に箱の製造に使用することができ、利用可能な比較的僅かな面ゆえに箱の貼付け時に問題を生じることもない。
【００１９】
刻み線を製造するために、包装を形成する材料の厚さは刻みナイフによって減少する。このためカットシートは平滑な台に載せて刻みナイフで処理され、圧縮の他に材料の除去も起こることがある。刻みナイフの形状に応じて例えばｖ形またはｕ形横断面が生じる。台が溝製造法におけるように刻みナイフとは反対側の個所に通路を有するのでなく、むしろ平滑な表面を有するので、厚さが減少し、溝の場合のように厚さ減少のない変形が生じるのではない。
【００２０】
厚さ減少度は利用される材料と当該折畳み領域とに依存している。垂直折畳み領域の刻み線は紙または厚紙の１０〜８０％、好ましくは３０〜７０％、特別好ましくは４０〜６０％、例えば約５０％の厚さ減少によって形成され、水平折畳み領域の刻み線は紙または厚紙の１０〜５０％、好ましくは２０〜４０％、例えば約３０％の厚さ減少によって形成される。
【００２１】
刻み線は第２の理由からも本発明に係るカットシートにとって好ましい。つまり刻み線は、完成した箱の内面にそれがあると外面がまったく無傷で未加工に見え、それゆえに消費者にとって向上した視覚的外観を提供するという利点を有する。それは溝利用時には可能ではない。
【００２２】
刻み線の数とそれらの相互距離とによって丸みの程度と種類を確定することができる。折畳み領域当り６〜８本、特に７本の刻み線が好ましく、これらが約１ｍｍの相互距離にある。折畳むと丸い稜を有する箱が得られる。この場合、丸みの半径は市販の紙巻タバコの半径にほぼ一致する。折畳み領域当り２本の刻み線も同様に好ましく、これらは６〜８ｍｍ、特に約７ｍｍの距離にある。この場合、折畳むと斜にされた稜を有する箱が得られる。
【００２３】
さらに箱の統一した視覚的外観のために、すべての折畳み領域が同数の折線を有することが優先される。
【００２４】
垂直折畳み領域と水平折畳み領域との当接に関し、円弧セグメントの末端とＳ字曲線の末端が直角に分岐しかつ主面区画の稜と平行であることが好ましい。というのも、さまざまな折畳み領域の間で問題のない移行がこうして可能となるからである。
【００２５】
好ましくは円弧セグメントとＳ字曲線は互いに接合されず、もしくは主面区画の隅点でのみ互いに接合されている。円弧セグメントとＳ字曲線との間に少なくとも部分的接合が存在することは確かに基本的に可能でもあるが、その場合折畳んで箱を形成するとき、両方の異なる折畳み領域の間の移行領域で押し潰しや不揃いを生じる。
【００２６】
さらに、少なくとも１つの折畳み領域が両方の末端で円弧セグメントまたはＳ字曲線のいずれかによって限定されていることが好ましい。同様に、すべての折畳み領域がその両方の末端で実質的に直角に他の折畳み領域に当接する場合、これら折畳み領域の両方の末端が円弧セグメントまたはＳ字曲線のいずれかによって限定されていることが好ましい。最後に、互いに平行なすべての折畳み領域がそれぞれ円弧セグメントまたはＳ字曲線のいずれかで成端していることも好ましい。３つの事例すべてにおいてこれは視覚的印象の向上をもたらす。
【００２７】
カットシートの製造は公知の方法で行われる。すなわち、カットシートはロールで支承されたカットシート材料のウェブから、好ましくは横目カットシートとして繰り出されて印刷される。通常この後、カットシートは刻みナイフまたは溝付け体によって上記の如くに処理され、同時に打抜かれおよび／または切断され、場合によってはエンボシングされる。通常に折畳んで側面に貼り付けることによって、この場合、インナライナー内に包み込まれた紙巻タバコ群を通常含む完成した例えば紙巻タバコ箱が機械的に得られる。本発明に係るヒンジリッド箱にはふつう通常のカラー部も挿入され、このカラー部は箱開口時に箱前壁の内面から多少張り出し、箱内にある紙巻タバコを掴むのを可能とするくぼみを有する。
【００２８】
以下、一実施例を基に本発明が説明される。
図１は紙巻タバコ用ヒンジリッド箱を製造するための本発明に係るカットシートを示す。
図２は図１の細部Ｙの図である。
【００２９】
図から認めることのできる第１主面区画２０は完成した箱において箱の箱部の前壁に相当し、隣接する側面区画２２、２４を備えている。左第１側面区画２２と第１主面区画２０との間および第１主面区画２０と右第１側面区画２４との間に第１、第２垂直折畳み領域９０、９１があり、両方の折畳み領域はこの場合７本の刻み線１００によって形成されており、その上端には四分円を有する。
【００３０】
第１主面区画２０に上側で底区画３０が続き、第２主面区画４０がそれに続いている。第１主面区画２０と底区画３０との間に第１水平折畳み領域８０があり、底区画３０と第２主面区画４０との間に第２水平折畳み領域８２がある。これら両方の水平折畳み領域８０、８２はやはり７本の刻み線１００によって形成されており、刻み線は両方の末端にそれぞれｓ字線を示す。完成した箱において箱部の後面に相当する第２主面区画４０は、左第２側面区画４２およびそこにある左第２側面区画端タブ４６と右第２側面区画４４およびそこにある右第２側面区画端タブ４８とが側面に並ぶ。それらの間に第３、第４垂直折畳み領域９２、９３がある。
【００３１】
第２主面区画４０に続く第３主面区画５０は完成した箱において蓋後壁に相当する。主面区画４０、５０が折線１２によって分離され、完成した箱の蓋はこの折線を中心に揺動させることができる。第３主面区画５０と一方で左第３側面区画５２およびそこにある左第３側面区画端タブ５６との間、他方で右第３側面区画５４およびそこにある右第３側面区画端タブ５８との間との間に、第５垂直折畳み領域９４と第６垂直折畳み領域９５がある。垂直折畳み領域９２、９３と９４、９５は切込みによって相互に分離されており、これらの切込みは折線１２まで達しまたはそれ以上に達することができる。
【００３２】
第３主面区画５０の上面に蓋区画６０が続き、後者自体には第４主面区画７０が続いている。第３主面区画５０と蓋区画６０との間に第３水平折畳み領域８４があり、蓋区画６０と第３主面区画７０との間には第４水平折畳み領域８６があり、これらの折畳み領域も他のすべての折畳み領域と同様に７本の刻み線１００によって形成されている。
【００３３】
第４主面区画７０の周りに左第４側面区画７２、右第４側面区画７４、それらの間にある第７、第８垂直折畳み領域９６、９７および補強区画７２が集まっている。この補強区画７２はその寸法が多少小さいので４本の刻み線１００を有するだけである。
【００３４】
垂直折畳み領域と水平折畳み領域が主面区画の隅で当接し、例えば垂直折畳み領域９０、９１は主面区画の上隅２１、２３で水平折畳み領域８０に当接する。図１の実施形態において垂直折畳み領域の端は四分円弧となっており、この四分円弧は一方でそれぞれ隣接する側面区画の上稜に円滑に移行し、他方で各主面区画の外稜に円滑に移行している。水平折畳み領域の端はＳ字曲線となっており、このＳ字曲線は一方でそれぞれ隣接する主面区画の外稜、他方で隣接する底区画または上面区画の外稜に円滑に移行している。
【００３５】
さまざまな折畳み領域の刻み線１００の他にさらなる折線、例えば第２主面区画４０と第３主面区画５０との間に折線１２、補強区画７２内に折線７７、側面区画端タブが中心に揺動できる折線５５、４５を認めることができる。
【００３６】
紙巻タバコ箱を製造するために、まず最初に側面区画４２、４４を９０°上方に折り曲げ、次にそこにある側面区画端タブ４６、４８をやはり９０°内方に折り曲げることができる。次にカットシート１０の下部は底区画３０と第１主面区画２０が９０°上方に折り曲げられ、これにより側面区画端タブ４６、４８が底区画３０に接触して貼り付けられる。第１主面区画２０がさらに（９０°）折り込まれると、側面区画２２、４２と２４、４４は互いに重なり合り、貼り付けることができ、箱の下部、箱部が完成する。同様に上部、蓋部、箱が製造される。すなわち、側面区画端タブ５６、５８が上面区画６０に貼り付けられる。補強区画７２は内方で第４主面区画７０に接着され、次に側面区画５２、７２と５４、７４が互いに貼り付けられる。それゆえに刻み線１００は完成した箱の内面にあり、消費者が外から認めることはできない。
【００３７】
上記のように折畳んで得られるヒンジリッド箱は丸くされて長手稜を備えている。４つの水平な主稜も丸くされている。折畳み領域の隅で円弧セグメントとＳ字曲線が当接することによって折畳み領域の間の移行が円滑になり、こうして箱の８つの隅がすべて丸くされる。
【００３８】
円弧セグメントとＳ字曲線との当接が図２の細部図に拡大して示してある。垂直折畳み領域９１、９３の端はそれぞれ約６０〜７０°の円弧セグメントとなっており、水平折畳み領域８０、８２の端はＳ字曲線となっている。円弧セグメントとＳ字曲線は互いに接合されることなく隣接し、隅点２３、４３で当接する。
【図面の簡単な説明】
【００３９】
【図１】紙巻タバコ用ヒンジリッド箱を製造するための本発明に係るカットシートを示す。
【図２】図１の細部Ｙの図である。
【図１】
2004526439.tif 000003
【図２】
2004526439.tif 000004
【国際公開パンフレット】
2004526439.tif 000005
2004526439.tif 000006
2004526439.tif 000007
2004526439.tif 000008
2004526439.tif 000009
2004526439.tif 000010
2004526439.tif 000011
2004526439.tif 000012
2004526439.tif 000013
2004526439.tif 000014
2004526439.tif 000015
2004526439.tif 000016
2004526439.tif 000017
2004526439.tif 000018
2004526439.tif 000019
2004526439.tif 000020
2004526439.tif 000021
2004526439.tif 000022
2004526439.tif 000023
2004526439.tif 000024
【国際調査報告】
2004526439.tif 000025
2004526439.tif 000026
2004526439.tif 000027
2004526439.tif 000028